(57)【特許請求の範囲】
【請求項１】
送信局と、この送信局と回線を介して接続された受信局とを含み、前記受信局は第１サイズの記録紙と、この第１サイズのよりも小なる第２サイズの記録紙との両者の記録が可能な複数の兼用記録手段と、前記第２サイズの記録紙のみの記録が可能な複数の専用記録手段とを収容し、前記送信局からの指示をなす制御信号及び紙面情報を受信して、当該指示に応じて前記記録手段を選択して前記紙面情報の記録をなすようにした紙面電送システムであって、
前記送信局に設けられ、前記紙面情報のサイズ指定情報を含む前記制御信号を送出する制御信号送出手段と、
前記受信局に設けられ、前記送信局からの前記制御信号の前記サイズ指定情報が前記第１サイズの場合、前記兼用記録手段の中から空き記録手段を選択して前記紙面情報の記録をなすよう制御する切替制御手段とを含み、
前記制御信号送出手段は、前記記録手段の番号指定情報と、この番号指定情報の有効無効を示す有効情報とを更に含んだ前記制御信号を送出するよう構成されており、
前記切替制御手段は、前記サイズ指定情報が前記第１サイズであってかつ前記有効情報が無効を示す場合に、前記兼用記録手段の中から空き記録手段を選択して前記紙面情報の記録をなし、前記サイズ指定情報が前記第１サイズであってかつ前記有効情報が有効を示す場合に、前記番号指定情報が指示する記録手段に前記紙面情報の記録をなすようにしたことを特徴とする紙面電送システム。
【請求項２】
前記第１サイズはＡ１サイズであり、前記第２サイズはＡ２サイズであることを特徴とする請求項１記載の紙面電送システム。
【発明の詳細な説明】
【０００１】
【発明の属する技術分野】
本発明は紙面情報を電送する紙面電送システムに関するものであり、特に新聞紙面情報を複数の記録装置に対して電送する紙面電送システムに関するものである。
【０００２】
【従来の技術】
従来の紙面電送においては、Ａ２サイズの紙面情報を記録出力するＡ２専用記録装置とＡ１，Ａ２サイズの紙面情報を記録出力するＡ１，Ａ２兼用記録装置とが混在して運用されていた。
【０００３】
その背景としては、多くの新聞社において、Ａ１サイズの紙面情報の電送量は新聞紙面電送全体に占める割合が比較的少なく、Ａ２サイズの紙面情報電送が圧倒的に多かったため、運用上Ａ１，Ａ２兼用記録装置は各受信局において１台で十分対応可能であったことに起因する。
【０００４】
次に、上記従来の新聞紙面電送の運用について簡単に説明する。図４は、従来の新聞紙面電送において、送信局から記録装置に対して紙面情報の電送を行う際、送信局から送出される制御情報の形式を示したものである。ここで、制御情報とは紙面情報の記録出力をなす記録装置を指定したり、記録装置の動作を制御するための情報を含むものである。
【０００５】
図４において、制御情報は１バイト目の動作情報と２バイト目の記録装置指定情報とから構成されている。ここで、２バイト目の記録装置指定情報は、記録装置の番号に対して、前から３ビット目（ｂ５）から最終ビット（ｂ０）までが夫々対応しており、このｂ５〜ｂ０ビットの内いずれか１ビットのフラグが１であれば、その番号に対応した記録装置が指定されるものである。
【０００６】
Ａ２専用記録装置とＡ１，Ａ２兼用記録装置とが混在した従来の運用では、Ａ２サイズの紙面情報はいずれの記録装置でも記録出力ができるため、記録装置指定情報において、記録装置番号を特に指定しなくても、記録装置の動作状況を監視することで自動的に空いている記録装置へ紙面情報の電送がなされていた。
【０００７】
【発明が解決しようとする課題】
しかしながら、近年、Ａ１サイズの紙面情報の電送量が増加したため、Ａ１，Ａ２兼用記録装置の運用率が高くなり、１台のＡ１，Ａ２兼用記録装置では賄いきれず、複数台（２台以上）のＡ１，Ａ２兼用記録装置を設置する必要性が出てきた。更に、上記従来の運用においては、記録装置の動作状況を監視し、自動的に空いている記録装置へ電送するという形態を取っているため、Ａ１サイズの紙面情報を確実にＡ１，Ａ２兼用記録装置に電送するためには、空いている記録装置としてＡ２専用記録装置を選択することを強制的に回避させなければならなかった。
【０００８】
このため、従来の運用において、Ａ１サイズの紙面情報をＡ１，Ａ２兼用記録装置に記録出力するには、図４の記録装置指定情報において、ｂ５〜ｂ０ビットの内いずれか１ビットのフラグを１として、Ａ１，Ａ２兼用記録装置の番号を指定し、該指定された記録装置に対して固定的に電送を行うことで対応してきた。
【０００９】
しかしながら、昨今のようにＡ１，Ａ２兼用記録装置が複数台接続されてくると、Ａ２サイズの紙面情報はいずれの記録装置でも記録出力ができ、自動的に空いている記録装置へ紙面情報の電送がなされるため、Ａ１サイズの紙面情報を電送する記録装置番号を指定しても、該記録装置がＡ２サイズの紙面情報電送中（ビジー状態）のため、Ａ１サイズの紙面情報を電送できない可能性が出てくる。この場合、再び他の記録装置番号を指定して電送を行う必要があった。
【００１０】
すなわち、上記制御情報においては紙面情報のサイズを識別することができないため、Ａ１サイズの紙面情報を記録出力する場合、自動的にＡ１，Ａ２兼用記録装置の状態監視を行うことができず、紙面情報電送において運用上の煩雑さを招来していた。
【００１１】
そこで、本発明はかかる従来技術の問題点を解決すべくなされたものであって、その目的とするところは、紙面情報を記録装置へ電送するに当たり、常時紙面サイズに対応した記録装置の動作状況を監視し、使用中の記録装置への電送を拒否し、自動的に空いている記録装置へ紙面情報を電送すると共に、従来の運用形態と本発明の運用形態とが混在したシステムであっても適応可能な最適な新聞紙面電送システムを提供することにある。
【００１２】
【課題を解決するための手段】
本発明によれば、送信局と、この送信局と回線を介して接続された受信局とを含み、前記受信局は第１サイズの記録紙と、この第１サイズのよりも小なる第２サイズの記録紙との両者の記録が可能な複数の兼用記録手段と、前記第２サイズの記録紙のみの記録が可能な複数の専用記録手段とを収容し、前記送信局からの指示をなす制御信号及び紙面情報を受信して、当該指示に応じて前記記録手段を選択して前記紙面情報の記録をなすようにした紙面電送システムであって、前記送信局に設けられ、前記紙面情報のサイズ指定情報を含む前記制御信号を送出する制御信号送出手段と、前記受信局に設けられ、前記送信局からの前記制御信号の前記サイズ指定情報が前記第１サイズの場合、前記兼用記録手段の中から空き記録手段を選択して前記紙面情報の記録をなすよう制御する切替制御手段とを含み、前記制御信号送出手段は、前記記録手段の番号指定情報と、この番号指定情報の有効無効を示す有効情報とを更に含んだ前記制御信号を送出するよう構成されており、前記切替制御手段は、前記サイズ指定情報が前記第１サイズであってかつ前記有効情報が無効を示す場合に、前記兼用記録手段の中から空き記録手段を選択して前記紙面情報の記録をなし、前記サイズ指定情報が前記第１サイズであってかつ前記有効情報が有効を示す場合に、前記番号指定情報が指示する記録手段に前記紙面情報の記録をなすようにしたことを特徴とする紙面電送システムが得られる。
【００１５】
更に、前記第１サイズはＡ１サイズであり、前記第２サイズはＡ２サイズであることを特徴とする。
【００１６】
本発明の作用を述べる。送信局からの制御情報として、紙面情報のサイズ指定情報と記録装置の番号指定情報の有効情報とを送出する。サイズ指定情報がＡ１サイズの場合、複数のＡ１，Ａ２兼用記録装置の中から空き記録装置を選択し、この記録装置で紙面情報の記録がなされる。また、サイズ指定情報がＡ１サイズで、かつ有効情報が無効の場合も同様に紙面情報の記録がなされる。更に、サイズ指定情報がＡ１サイズで、かつ有効情報が有効の場合は記録装置の番号指定情報で指示されたＡ１，Ａ２兼用記録装置で紙面情報の記録がなされる。これにより、Ａ１サイズの紙面情報量が増加しても、迅速にＡ１，Ａ２兼用記録装置に対して紙面情報の電送を行うことが可能となり、紙面電送システムの効率的な運用が図られる。
【００１７】
【発明の実施の形態】
以下に、添付図面を参照しつつ本発明の実施の形態について説明する。図１は本発明の実施の一形態としての紙面電送システムの構成を示すブロック図である。図１を参照すると、本発明による紙面電送システムは、新聞社の本局に設けられた送信局１から、印刷機を有する各支局に設けられた受信局６−１，６−２，６−ｎに対して、回線２を介した電送が行われる。そして、送信局１と各受信局６−１，６−２，６−ｎとの間には、電送状態の制御を行う回線切替制御装置５−１，５−２，５−ｎが夫々設けられている。
【００１８】
送信局１は、制御情報を送出する制御情報送出部１０と、紙面情報を送出する紙面情報送出部１１とを有し、受信局６−１，６−２，６−ｎは、複数の記録装置６１，６２，６ｎを収容している。記録装置６１，６２，６ｎは、Ａ１サイズとＡ２サイズの紙面情報の記録出力をなすＡ１，Ａ２兼用記録装置、またはＡ２サイズの紙面情報の記録出力をなすＡ２専用記録装置であり、夫々の装置が複数設置されている。また、Ａ１，Ａ２兼用記録装置とＡ２専用記録装置とが何台ずつ収容されているかは、各受信局６−１，６−２，６−ｎ毎に夫々異なるものである。
【００１９】
回線切替制御装置５−１，５−２，５−ｎは、情報分離部５０と、紙面情報供給部５１と、制御情報判定部５２と、切替制御部５３と、切替部５４と、結合部５５とから構成されている。また、各回線切替制御装置５−１，５−２，５−ｎの内部構成は同一のものである。
【００２０】
次に、本発明の実施の形態について、図１を参照して詳細に説明する。図１において、各受信局６−１，６−２，６−ｎ内の記録装置６１，６２，６ｎに対して新聞紙面情報の電送を行う際、送信局１内の制御情報送出部１０は制御情報を、紙面情報送出部１１は紙面情報を回線２を介して回線切替制御装置５−１，５−２，５−ｎに対して夫々送出する。ここで、制御情報とは紙面情報の記録出力をなす記録装置を指定したり、記録装置の動作を制御するための情報を含むものであり、紙面情報は新聞紙面に印刷する文字等の情報である。制御情報の形式の一例を図２に示す。
【００２１】
図２において、１バイト目は動作情報、２バイト目は記録装置指定情報であり、夫々８ビットのデータから構成される。１バイト目の前から３ビット目（ｂ５）は、紙面情報のサイズを指定するためのフラグであり、ｂ５＝１で紙面サイズＡ１、ｂ５＝０で紙面サイズＡ２が夫々指定される。
【００２２】
また、同４ビット目（ｂ４）は、３ビット目で紙面サイズとしてＡ１が指定された時（ｂ５＝１）、２バイト目で指定される記録装置番号指定の有効無効を選択するためのフラグであり、ｂ４＝１で記録装置番号指定は無効、ｂ４＝０で記録装置番号指定は有効とする。なお、３ビット目で紙面サイズとしてＡ２が指定された時（ｂ５＝０）、４ビット目（ｂ４）の記録装置番号指定の有効無効フラグの設定値は無視される。
【００２３】
２バイト目の記録装置指定情報は、記録装置６１，６２，６ｎの番号に対して前から３ビット目（ｂ５）から最終ビット（ｂ０）までが夫々対応しており、このｂ５〜ｂ０ビットの内いずれか１ビットのフラグが１であれば、その番号に対応した記録装置６１，６２，６ｎが指定される。なお、記録装置６１，６２，６ｎの記録装置番号は、紙面電送システム導入時に予め決定される固定値であり、制御情報判定部５２において制御情報を解析する際、事前に認識可能なものである。
【００２４】
図１に戻り、送信局１から送出された制御情報と紙面情報は、回線切替制御装置５−１，５−２，５−ｎ内の情報分離部５０で夫々分離され、紙面情報は紙面情報供給部５１に、制御情報は制御情報判定部５２に夫々供給される。制御情報判定部５２では、図２の形式の制御情報の解析を行い、紙面情報を記録出力する記録装置６１，６２，６ｎを決定する。切替制御部５３は制御情報判定部５２の決定を受けて、切替部５４を制御し、記録装置６１，６２，６ｎの中から決定された記録装置に対する電送経路の設定を行う。
【００２５】
紙面情報供給部５１では、紙面情報をＨＤＬＣ（Ｈｉｇｈ  Ｌｅｖｅｌ  Ｄａｔａ  Ｌｉｎｋ  Ｃｏｎｔｒｏｌ  Ｐｒｏｃｅｄｕｒｅｓ）形式に変換し、切替部５４にて設定された電送経路に対し紙面情報の供給を行う。結合部５５では、この電送経路にＨＤＬＣ変換された紙面情報を結合し、紙面情報が電送される。この結果、紙面情報が所定の記録装置において記録出力される。
【００２６】
次に、本発明の実施の形態における全体の動作について、図３を用いて詳細に説明する。図３は、図１の制御情報判定部５２の動作を示すフローチャートである。図２の形式を有する制御情報を回線切替制御装置５−１，５−２，５−ｎ内の制御情報判定部５２において受信すると、ステップ（以下、Ｓという）３１の処理で、制御情報内の１バイト目の動作情報から、紙面サイズ指定フラグ（ｂ５）の値を検出する。Ｓ３１において、ｂ５＝１すなわち紙面サイズがＡ１指定であれば（Ｓ３１：Ｙ）、Ｓ３２へ移行し、ｂ５＝０すなわち紙面サイズがＡ２指定であれば（Ｓ３１：Ｎ）、Ｓ３３へ移行する。
【００２７】
次に、同じく動作情報から、記録装置番号指定の有効無効フラグ（ｂ４）の値を検出する。Ｓ３２において、ｂ４＝１すなわち記録装置番号指定が無効であれば（Ｓ３２：Ｙ）、Ｓ３４へ移行し、ｂ４＝０すなわち記録装置番号指定が有効であれば（Ｓ３２：Ｎ）、Ｓ３５へ移行する。
【００２８】
Ｓ３４では、２バイト目の記録装置番号指定は無効とされるため、Ａ１，Ａ２兼用記録装置の状態を監視した後、空いているＡ１，Ａ２兼用記録装置を自動的に選択し、この選択された記録装置に対する電送経路が設定され、紙面情報が記録出力される。また、Ｓ３５では、２バイト目の記録装置番号指定は有効とされるため、２バイト目のｂ５〜ｂ０で指定されたＡ１，Ａ２兼用記録装置に対する電送経路が設定され、紙面情報が記録出力される。
【００２９】
また、Ｓ３３の処理では、１バイト目の動作情報で紙面サイズがＡ２と指定されているため、１バイト目のｂ４ビットは無視され、２バイト目で記録装置番号指定があれば（Ｓ３３：Ｙ）、Ｓ３６へ移行し、記録装置番号指定がなければ（Ｓ３３：Ｎ）、Ｓ３７へ移行する。Ｓ３６では、２バイト目のｂ５〜ｂ０で指定されたＡ２専用記録装置またはＡ１，Ａ２兼用記録装置に対する電送経路が設定され、紙面情報が記録出力される。Ｓ３７では、Ａ２専用記録装置またはＡ１，Ａ２兼用記録装置の状態を監視した後、空いているＡ２専用記録装置またはＡ１，Ａ２兼用記録装置を自動的に選択し、この選択された記録装置に対する電送経路が設定され、紙面情報が記録出力される。
【００３０】
以上説明したように、本発明による紙面電送システムは、Ａ２サイズの紙面情報については、Ａ２専用記録装置またはＡ１，Ａ２兼用記録装置の状態を監視した後、空き記録装置へ電送され（図３のＳ３３→Ｓ３７）、Ａ１サイズの紙面情報については、記録装置番号が指定されたＡ１，Ａ２兼用記録装置へ電送される（図３のＳ３２→Ｓ３５）といった従来の運用形態を包含しているのである。
【００３１】
すなわち、本発明は動作情報に紙面サイズ指定フラグを設け、紙面サイズ（Ａ１またはＡ２）を指定することにより、Ａ１サイズの紙面情報を電送するに際し、Ａ１，Ａ２兼用記録装置の状態を監視した後、空きＡ１，Ａ２兼用記録装置へＡ１サイズの紙面情報を電送するようにしたものである（図３のＳ３１→Ｓ３２→Ｓ３４）。
【００３２】
なお、本発明が上記実施の形態に限定されず、本発明の技術的思想の範囲内において適宜変更され得ることは明らかである。例えば、上記実施の形態では、制御情報の１バイト目の動作情報において、紙面サイズの指定フラグをｂ５ビット、記録装置番号指定の有効無効フラグをｂ４ビットに夫々指定しているが、これ等のフラグは任意のビットに指定することも可能である。
【００３３】
更に、紙面電送システムによっては、制御情報が２バイト形式でない場合もあり得るため、動作情報や記録装置指定情報を制御情報内の任意の場所に設定することもできる。
【００３４】
そして、上記実施の形態では、記録装置指定情報で指定できる記録装置番号として、記録装置が６台の場合について説明しているが、本発明における記録装置は６台に限定されず、記録装置番号のビット指定の組み合わせによって任意の台数の記録装置に対しても広く応用可能である。
【００３５】
また、上述の実施の形態では、紙面サイズとしてＡ１，Ａ２の場合を示したが、紙面サイズはこれに限定されることなく、大小２種類のサイズのものに対しても広く適用可能であることは勿論である。
【００３６】
【発明の効果】
叙上の如く、本発明によれば、送信局から送出される制御情報の１バイト目を紙面サイズ指定フラグと記録装置番号指定の有効無効フラグとして使用することで、予め紙面情報のサイズがＡ１であることを認識した上で、Ａ１，Ａ２兼用記録装置の状態を監視し、自動的に空いている記録装置へ紙面情報を電送するか、番号指定のされた記録装置へ紙面情報を電送するかを判断するため、Ａ１サイズの紙面電送を迅速に行うことができる。よって、紙面電送システム全体の運用工数の低減、運用効率の向上、更には紙面電送の全自動化を図ることができる。
【００３７】
また、本発明によれば、動作情報として従来未使用であった領域を使用することで、従来の運用形態を承継しつつ本発明を適用することができるため、既にある従来の紙面電送システムを容易に更新することも可能となる。よって、従来方式に拘束されることなく、従来方式と本発明とが混在した一つの紙面電送システムとして構築することができるという効果もある。
【図面の簡単な説明】
【図１】本発明の紙面電送システムの構成を示すブロック図である。
【図２】本発明の制御情報の形式を示す図である。
【図３】本発明の紙面電送システムの動作を示すフローチャートである。
【図４】従来の制御情報の形式を示す図である。
【符号の説明】
１  送信局
２  回線
５−１，５−２，５−ｎ  回線切替制御装置
６−１，６−２，６−ｎ  受信局
１０  制御情報送出部
１１  紙面情報送出部
５０  情報分離部
５１  紙面情報供給部
５２  制御情報判定部
５３  切替制御部
５４  切替部
５５  結合部
６１，６２，６ｎ  Ａ１，Ａ２兼用記録装置、Ａ２専用記録装置
【図１】
0003612484.tif 000002
【図２】
0003612484.tif 000003
【図３】
0003612484.tif 000004
【図４】
0003612484.tif 000005